(57)【特許請求の範囲】
【請求項１】
第１の絶縁部材と、該第１の絶縁部材の上面に接合された第２の絶縁部材と、一端部が前記第１の絶縁部材と前記第２の絶縁部材とに挟まれ、前記一端部から前記第１の絶縁部材を貫通する貫通導体を介して前記第１の絶縁部材の下面に導出され、他端部が前記第２の絶縁部材から露出された配線導体とを具備し、該配線導体が、前記第２の絶縁部材から露出する部分の前記第２の絶縁部材との境界部に、他の部位よりも線幅が広いインピーダンス整合部を有することを特徴とする入出力部材。
【請求項２】
前記配線導体は、前記インピーダンス整合部の前後で線幅が異なることを特徴とする請求項１記載の入出力部材。
【請求項３】
前記インピーダンス整合部は、平面視において曲線形状を有して線幅が拡がっていることを特徴とする請求項１または２記載の入出力部材。
【請求項４】
前記インピーダンス整合部は、平面視において円弧形状を有して線幅が拡がっていることを特徴とする請求項３記載の入出力部材。
【請求項５】
前記インピーダンス整合部は、平面視において円形状であることを特徴とする請求項４記載の入出力部材。
【請求項６】
前記配線導体は、前記境界部において絶縁体層に覆われていることを特徴とする請求項１乃至５のいずれか１つに記載の入出力部材。
【請求項７】
電子部品が載置される載置領域を上面に有する基板と、
前記載置領域を囲むように前記基板の上面に設けられた、内周面および外周面に開口する貫通孔を有する枠体と、
前記貫通孔を塞ぐように固定された請求項１乃至６のいずれか１つに記載の入出力部材とを有することを特徴とする電子部品収納用パッケージ。
【請求項８】
請求項７に記載の電子部品収納用パッケージと、
該電子部品収納用パッケージの前記載置領域に載置されて前記配線導体に接続された電子部品とを備えた電子装置。
【発明の詳細な説明】
【技術分野】
【０００１】
本発明は、半導体素子のような電子部品が収納される電子部品収納用パッケージ等に用いられる入出力部材およびこれを用いた電子部品収納用パッケージ、電子装置に関する。このような電子装置は各種電子機器に用いることができる。
【背景技術】
【０００２】
電子部品を収納する電子部品収納用パッケージ（以下、単にパッケージともいう）としては、例えば、特開平９−６４２２３号公報に記載された電子部品用パッケージが知られている。このパッケージは、内部に収納される電子部品と外部の電気回路とを電気的に接続するための入出力用導体パターンを備えている。また、入出力用導体パターンを間に挟むように設けられた第２の接地用導体パターンを備えており、入出力用導体パターンと第２の接地用導体パターンとによってコプレーナ配線を形成している。【０００３】
このパッケージにおいて、第２の接地用導体パターンの間の入出力用導体パターン部分を除く距離を、第３の絶縁体層に覆われた部分が第３の絶縁体層に覆われていない部分に比べ長くしている。これによって、第３の絶縁体層に覆われた部分と覆われていない部分との間での特性インピーダンスの整合を行っている。
【先行技術文献】
【特許文献】
【０００４】
【特許文献１】特開平９−６４２２３号公報
【発明の概要】
【発明が解決しようとする課題】
【０００５】
しかしながら、絶縁体層に覆われた部分と覆われていない部分とにおける特性インピーダンスはそれぞれ整合することができるとしても、これらが連続する高周波線路の高周波特性は未だ十分なものではなかった。【０００６】
また、高周波信号を高出力とする場合には、高周波信号線路の耐圧性も考慮する必要がある。本発明は、上記の課題に鑑みてなされたものであり、良好なインピーダンス整合を行なうことのできる入出力部材ならびにこれを用いた電子部品収納用パッケージおよび電子装置を提供することを目的とする。
【課題を解決するための手段】
【０００７】
本発明の１つの態様に基づく入出力部材は、第１の絶縁部材と、この第１の絶縁部材の上面に接合された第２の絶縁部材と、一端部が前記第１の絶縁部材と前記第２の絶縁部材とに挟まれ、前記一端部から前記第１の絶縁部材を貫通する貫通導体を介して前記第１の絶縁部材の下面に導出され、他端部が前記第２の絶縁部材から露出された配線導体とを具備する。この配線導体は、前記第２の絶縁部材から露出する部分の前記第２の絶縁部材との境界部に、他の部位よりも線幅が広いインピーダンス整合部を有する。
【発明の効果】
【０００８】
本発明の一実施形態に係る入出力部材によれば、配線導体が、第２の絶縁部材から露出する部分の第２の絶縁部材との境界部に、他の部位よりも線幅が広いインピーダンス整合部を有することから、境界部に生じるインピーダンス不整合を線幅が広いインピーダンス整合部によって整合し、第２の絶縁部材に覆われる部分と覆われない部分とが連続する配線導体の高周波特性を改善することができる。
【図面の簡単な説明】
【０００９】
【図１】第１の実施形態の電子部品収納用パッケージおよびこれを備えた電子装置の分解斜視図である。
【図２】図１に示す第１の実施形態の電子部品収納用パッケージの斜視図である。
【図３】図２に示す電子部品収納用パッケージにおけるＸ−Ｘ断面の断面図である。
【図４】図１，図２に示す電子部品収納用パッケージに用いられる入出力部材の分解斜視図である。
【図５】図４に示す入出力部材の平面図である。
【図６】第２の実施形態の電子部品収納用パッケージにおける入出力部材の平面図である。
【図７】第３の実施形態の電子部品収納用パッケージにおける入出力部材の平面図である。
【図８】第４の実施形態の電子部品収納用パッケージにおける入出力部材の平面図である。
【図９】第５の実施形態の電子部品収納用パッケージにおける入出力部材の平面図である。
【図１０】第４の実施形態の電子部品収納用パッケージにおける入出力部材の高周波反射損失のシミュレーション結果を示す線図である。
【図１１】第４の実施形態の電子部品収納用パッケージにおける入出力部材の高周波挿入損失のシミュレーション結果を示す線図である。
【発明を実施するための形態】
【００１０】
以下、本発明の各実施形態の入出力部材、およびこれを備えた電子部品収納用パッケージ、電子装置について、図面を用いて詳細に説明する。但し、以下で参照する各図は、主な構成を簡略に示したものである。本発明に係る入出力部材、パッケージおよび電子装置は、本明細書が参照する各図に示されていない任意の構成部材や細部構成を備え得る。また、各図の縮尺は実際のものとは異なる。
【００１１】
図１，図２，図３は、本発明の第１の実施形態のパッケージ１および電子装置１０１を示す。パッケージ１は、電子部品３が載置される載置領域を上面に有する基板５と、載置領域を囲むように基板５の上面に設けられた枠体７とを備える。枠体７は、内周面と外周面とに開口を有し、枠体７を貫通する貫通孔７ａを有している。貫通孔７ａには、枠体７で囲まれた領域の内側と外側との間で信号の入出力を行う入出力部材９が固定される。
【００１２】
図４は、本実施形態における入出力部材９の分解斜視図を示す。入出力部材９は、第１の絶縁部材１１と、第１の絶縁部材１１の上面に接合される第２の絶縁部材１２とを備える。第１の絶縁部材１１の上面には配線導体１３が形成される。配線導体１３は一端部が第２の絶縁部材１２に挟まれて形成されている。第２の絶縁部材１２は配線導体１３の線路方向の幅が第１の絶縁部材１１よりも狭く、したがって配線導体１３の一端は露出されている。なお、配線導体１３の線路方向に沿った両側には、一定間隔を設けて接地導体１４を設けてもよい。配線導体１３および接地導体１４はコプレーナ線路を形成する。
【００１３】
配線導体１３は、第１の絶縁部材１１および第２の絶縁部材１２に挟まれている第１の部位１３ａ、第１の部位１３ａに隣接し、第２の絶縁部材１２から露出した境界部に位置する第２の部位１３ｂ、ならびに第２の絶縁部材１２から露出し、第２の部位１３ｂに隣り合う第３の部位１３ｃを有している。第２の部位１３ｂは、第２の絶縁部材１２に挟まれている第１の部位１３ａと配線導体１３が第２の絶縁部材１２から露出する部分との境界部であって、第２の絶縁部材１２から露出する側に位置する。そして、第２の部位１３ｂは、第１の部位１３ａおよび第３の部位１３ｃよりも線幅Ｗ２が広くなるように形成される。
【００１４】
このように、第２の部位１３ｂの線幅Ｗ２を第１の部位１３ａの線幅Ｗ１および第３の部位１３ｃの線幅Ｗ３よりも広くすることによって、第１の部位１３ａおよび第３の部位１３ｃよりも第２の部位１３ｂにおいて高周波インピーダンスが低くなる。そのため、境界部に生じる高インピーダンスを緩和してインピーダンスの不連続を緩和することができる。このように、第２の部位１３ｂがインピーダンス整合部として機能し、第１の部位１３ａと第３の部位１３ｃとの間でのインピーダンス整合を行うことができる。
【００１５】
本実施形態における基板５は、平板形状の本体部およびこの本体部の四隅からそれぞれ側方に引き出されたネジ止め部を有している。平板部は、上面に電子部品３が載置される載置領域を有している。ネジ止め部には、それぞれネジ止め孔５ｂが形成されている。このネジ止め孔５ｂによってパッケージ１を実装基板（不図示）にネジ止め固定することができる。
【００１６】
なお、本実施形態において載置領域とは、基板５を平面視した場合に電子部品３と重なり合う領域を意味する。基板５の大きさとしては、例えば、本体部において一辺が５ｍｍ〜５０ｍｍの長方形である。また、基板５の厚みは、例えば、０．３ｍｍ〜３ｍｍである。
【００１７】
本実施形態においては載置領域が基板５の上面の中央部に形成されているが、この形態には限定されない。電子部品３が載置される領域を載置領域と呼称するものであり、例えば、基板５の上面の端部に載置領域が形成されていても何ら問題ない。また、基板５が複数の載置領域を有し、それぞれの載置領域に電子部品３が載置されていてもよい。
【００１８】
基板５の上面における載置領域には電子部品３が載置される。電子部品３の例としては、光半導体素子、ＩＣ素子およびコンデンサのような電子部品３を挙げることができる。光半導体素子の例としては、例えば、ＬＤ（Laser Diode）素子に代表される光を出射する発光素子、あるいは、ＰＤ(Photo Detector)素子に代表される光を受光する受光素子が挙げられる。
【００１９】
電子部品３の電極は、ボンディングワイヤ（不図示）等を介して入出力部材９の配線導体１３に電気的に接続される。電子部品３は、このボンディングワイヤおよび配線導体１３等を介して外部の配線回路（不図示）との間で信号の入出力を行うことができる。基板５として、電子部品３が設置される部分には高い絶縁性が求められる場合がある。
【００２０】
高い絶縁性を有する基板５は、絶縁性部材によって作製される。絶縁性部材としては、例えば、酸化アルミニウム質焼結体、ムライト質焼結体、炭化珪素質焼結体、窒化アルミニウム質焼結体および窒化珪素質焼結体のようなセラミック材料を用いることができる。また、これらのセラミック材料の代わりにガラスセラミック材料を用いてもよい。
【００２１】
これらのガラス粉末およびセラミック粉末を含有する原料粉末、有機溶剤ならびにバインダを混ぜることにより混合部材を作製する。この混合部材をシート状に成形することにより複数のセラミックグリーンシートを作製する。作製された複数のセラミックグリーンシートを積層することにより複数の積層体を作製する。複数の積層体をそれぞれ約１６００℃の温度で一体焼成することにより基板５が作製される。
【００２２】
なお、基板５としては、複数の絶縁性部材が積層された構成に限られるものではない。１つの絶縁性部材により基板５が構成されていてもよい。また、基板５として、例えば、金属部材の上に絶縁性部材を載置した構成としてもよい。特に、基板５に対して高い放熱性が求められる場合は、基板５が金属部材を含む構成であることが好ましい。金属部材は高い放熱性を有しているからである。金属部材の上に絶縁性部材を載置した構成とすることで、基板５の放熱性を高めることができる。
【００２３】
例えば、本実施形態における基板５のように、絶縁性の載置基板２７を備えていてもよい。本実施形態のパッケージ１では、基板５が金属部材からなり、この基板５の載置領域上に載置基板２７が載置されている。そして、この載置基板２７上に電子部品３が載置される。
【００２４】
金属部材としては、鉄、銅、ニッケル、クロム、コバルトおよびタングステンのような金属材料、あるいはこれらの金属からなる合金またはこれらの金属を複合した金属部材を用いることができる。このような金属材料のインゴットに圧延加工法、打ち抜き加工法、切削加工法のような金属加工法を施すことによって基板５を構成する金属部材を作製することができる。
【００２５】
また、載置基板２７としては、絶縁性部材と同様に絶縁性の良好な部材を用いることが好ましく、例えば、酸化アルミニウム質焼結体、ムライト質焼結体、炭化珪素質焼結体、窒化アルミニウム質焼結体および窒化珪素質焼結体のようなセラミック材料を用いることができる。また、これらのセラミック材料の代わりにガラスセラミック材料を用いてもよい。
【００２６】
本実施形態のパッケージ１は、載置領域を囲むように基板５の上面に固定された枠体７を備えている。枠体７は、平面視した場合の内周面および外周面がそれぞれ四角形の筒形状であり、４つの側壁部分によって構成されている。枠体７は、銀ロウ等の接合部材（不図示）を介して基板５に接合されている。
【００２７】
平面視した場合の枠体７の外周は、例えば、縦横の一辺が５ｍｍ以上５０ｍｍ以下である。また、外周と内周との間の幅である枠体７の厚みは、例えば０．５ｍｍ以上２ｍｍ以下である。また、枠体７の高さは、例えば３ｍｍ以上３０ｍｍ以下である。
【００２８】
枠体７としては、例えば、基板５と同様に、絶縁性の良好な部材、あるいは金属部材が用いられる。絶縁性の良好な部材としては、例えば、酸化アルミニウム質焼結体、ムライト質焼結体、炭化珪素質焼結体、窒化アルミニウム質焼結体および窒化珪素質焼結体のようなセラミック材料が用いられる。また、金属部材としては、例えば、鉄、銅、ニッケル、クロム、コバルトおよびタングステンのような金属材料、あるいはこれらの金属材料からなる合金またはこれらの金属を複合した金属部材が用いられる。
【００２９】
枠体７は、内周面と外周面との間を貫通し、内周面および外周面に開口を有する貫通孔７ａを有している。本実施形態における貫通孔は、内周面、外周面および下面に開口する形状を有している。言い換えれば、枠体７の下面側の一部を切り欠いた形状としている。このように、貫通孔７ａは、枠体７の下面を切り欠いた形状または上面を切り欠いた形状であっても良い。また枠体７は、このような貫通孔７ａを複数有していてもよい。
【００３０】
貫通孔７ａには、入出力部材９が挿入されて固定される。入出力部材９は、枠体７の内外を電気的に接続する部材である。なお、図１，図２，図４，図５において、視覚的な理解を容易にするために配線導体１３および接地導体１４にハッチングを施した。
【００３１】
本実施形態のパッケージ１においては、図１，図３から分かるように、基板５が、貫通孔７ａの下方に位置する部分に切欠き部５ａを有しており、この切欠き部５ａに第１の絶縁部材１１の側面が接するように入出力部材９が固定される。また、第１の絶縁部材１１には、上面から下面にかけて貫通する貫通孔が形成されており、この貫通孔には貫通導体２９が形成されている。貫通導体２９は配線導体１３の端部と電気的に接続されている。貫通導体２９によって、配線導体１３がパッケージ１の下面側に接続される。そして、第１の絶縁部材１１の下面にはリード端子３１が配置されている。リード端子３１は貫通導体２９の下端に電気的に接続されている。リード端子３１は、外部の配線回路と貫通導体２９とを電気的に接続するための部材である。なお、リード端子３１の両側には接地導体１４と接続されている接地端子３１ａが示されている。
【００３２】
第１の絶縁部材１１は四角板形状である。第１の絶縁部材１１の例示的な大きさとしては、平面視した場合における配線導体１３の線路方向に平行な一辺が１〜１０ｍｍ程度、平面視した場合における配線導体１３の線路方向に交わる一辺が５〜５０ｍｍ程度、厚みが０．５〜２ｍｍ程度である。
【００３３】
第２の絶縁部材１２は、第１の絶縁部材１１と同様に四角板形状である。第２の絶縁部材１２の例示的な大きさとしては、平面視した場合における配線導体１３の線路方向に平行な一辺が０．５〜５ｍｍ程度、平面視した場合における配線導体１３の線路方向に直交する一辺が５〜５０ｍｍ程度、厚みが０．５〜２ｍｍ程度である。
【００３４】
第１の絶縁部材１１および第２の絶縁部材１２としては、好ましくは絶縁性の良好な誘電体部材が用いられる。例えば、比誘電率が９．４程度である酸化アルミニウム質焼結体、比誘電率が７．５程度であるムライト質焼結体、比誘電率が４０程度である炭化珪素質焼結体、比誘電率が８．５程度である窒化アルミニウム質焼結体および比誘電率が９．６程度である窒化珪素質焼結体のようなセラミック材料、またはガラスセラミック材料が、第１の絶縁部材１１および第２の絶縁部材１２として用いられる。配線導体１３において良好に信号を伝送するため、第１の絶縁部材１１および第２の絶縁部材１２が、上記部材のような比誘電率が４〜５０程度である誘電体によって構成されていることが好ましい。
【００３５】
第１の絶縁部材１１の下面が基板５の下面よりも上に位置していることが好ましい。リード端子３１が第１の絶縁部材１１の下面に接合される際に、リード端子３１が基板５の下面よりも下方に突出しないようにできるからである。そのため、基板５を実装基板に固定する際に、基板５を実装基板に密着させて、放熱を妨げないようにすることができる。
【００３６】
配線導体１３の第１の部位１３ａにおける線幅Ｗ１は、例えば０．０５〜０．５ｍｍ程度、第２の部位１３ｂにおける線幅Ｗ２は、例えば０．１５〜１．５ｍｍ程度、第３の部位１３ｃにおける線幅Ｗ３は、例えば０．１〜１ｍｍ程度である。第１の部位１３ａ、第２の部位１３ｂおよび第３の部位１３ｃの各線幅は、配線導体１３に求められる伝送特性を基に、第１の絶縁部材１１および第２の絶縁部材１２の誘電率によって適宜定められる。
【００３７】
なお、上記線幅は配線導体１３がコプレーナ線路を形成している場合を仮定している。配線導体１３が、例えば両側に接地導体１４を有さないマイクロストリップ線路である場合は、一般的に上記よりも太い線幅とされる。
【００３８】
第１の部位１３ａにおける線幅Ｗ１は、周囲が第１の部位１３ａおよび第２の絶縁部材１２に囲まれている。したがって、誘電体中で例えば５０Ωの特性インピーダンスを有するような高周波線路幅となるような線幅Ｗ１に定められる。
【００３９】
第３の部位１３ｃは、配線導体１３の下方が誘電体で上方は比誘電率がほぼ１の空気中に配置される。したがって、第３の部位１３ｃにおける線幅Ｗ３は、このような条件下で例えば５０Ωの特性インピーダンスを有するような高周波線路幅となるように定められる。
【００４０】
第３の部位１３ｃにおける配線導体１３の周囲の実効誘電率は、上記のように第１の部位１３ａにおける誘電率よりも小さくなるため、第３の部位１３ｃの線幅Ｗ３と第１の部位１３ａの線幅Ｗ１とはインピーダンス整合部としての第２の部位１３ｂを挟んだ前後で線幅が異なる。一般的に、第１の部位１３ａの線幅Ｗ１は第３の部位１３ｃの線幅Ｗ３よりも細く形成される。
【００４１】
第２の部位１３ｂは、境界部のインダクタンス成分等で生じる高インピーダンス値をキャンセルできるキャパシタンス成分等を有する形状となる線幅を決める。これらはシミュレーションによって求めることもできる。
【００４２】
なお、配線導体１３がコプレーナ線路である場合は、配線導体１３と接地導体１４との間に０．０５ｍｍ〜１ｍｍの間隙が設けられる。また、配線導体１３が複数本配置される場合は、配線導体１３は０．３〜２ｍｍ程度の間隔で配置される。
【００４３】
本実施形態のパッケージ１においては、第２の部位１３ｂにおける線幅Ｗ２が、第１の部位１３ａおよび第３の部位１３ｃにおける線幅Ｗ１，Ｗ３よりも大きく、配線導体１３の幅が一定ではない。このとき、接地導体１４と第２の部位１３ｂとの間の間隙の幅、および接地導体１４と第３の部位１３ｃとの間の間隙の幅のどちらも最小幅とすることが好ましい。つまり、配線導体１３と対向する接地導体１４の縁が直線形状ではなく、配線導体１３の幅の変化に応じて一定幅の間隙を有する形状をしていることが好ましい。これにより、コプレーナ線路における信号の伝送効率を高めることができる。
【００４４】
なお、本実施形態において「接地」とは、いわゆるアース電位としての外部の基準電位（図示せず）に電気的に接続されていることを意味している。そのため、基準電位である接地としては必ずしも電位が０Ｖである必要はない。
【００４５】
配線導体１３および接地導体１４としては、導電性の良好な部材を用いることが好ましい。例えば、タングステン、モリブデン、ニッケル、銅、銀および金のような金属材料を配線導体１３として用いることができる。上記の金属材料を単一で用いてもよく、また、合金として用いてもよい。
【００４６】
入出力部材９の製造方法として、例えば第１の絶縁部材１１および第２の絶縁部材１２がアルミナ（Ａｌ２Ｏ３）質セラミックスから成る場合であれば、以下のようにして作製される。アルミナ（Ａｌ２Ｏ３），酸化珪素（ＳｉＯ２），酸化マグネシウム（ＭｇＯ），酸化カルシウム（ＣａＯ）等の原料粉末に適当な有機バインダ，有機溶剤，可塑剤，分散剤等を添加混合してスラリー状となし、これを従来周知のドクターブレード法によってシート状となすことにより、複数枚のセラミックグリーンシートを得る。
【００４７】
次に、第１の絶縁部材１１と成るセラミックグリーンシートを複数枚準備し、適当な打ち抜き加工を施すとともに、上層となるセラミックグリーンシートにはＷ，Ｍｏ，マンガン（Ｍｎ）等の金属粉末に適当なバインダ，溶剤を混合してなる導体ペーストをスクリーン印刷法，グラビア印刷法等により配線導体１３の所定パターンに印刷塗布する。配線導体１３がコプレーナ線路である場合は接地導体１４も同時に所定パターンに印刷塗布する。また、入出力部材９の外面の基板５および枠体７に接合される部位にはろう付け用に上記導体ペーストが塗布形成される。
【００４８】
次に、第２の絶縁部材１２となるセラミックグリーンシートを複数枚準備し、上層となるセラミックグリーンシートの枠体７に接合される面にろう付け用のＷ，Ｍｏ，Ｍｎ等の金属粉末に適当なバインダ，溶剤を混合してなる導体ペーストをスクリーン印刷法，グラビア印刷法等により所定パターンに印刷塗布する。
【００４９】
次に、第１の絶縁部材１１となる積層体に第２の絶縁部材１２となる積層体を積層圧着し、側面が凸型状の入出力部材９となる積層体を得る。得られた積層体の側面の枠体７に接合される金属層となる導体ペースト等を印刷塗布し、最後に１５００℃〜１６００℃程度の温度で焼成することにより、入出力部材９が作製される。
【００５０】
最後に、入出力部材９の配線導体１３等の導体層の表面には、酸化腐食を防止するため、ワイヤボンディング等の接合性を高めるため、電気抵抗を少なくするため、または半田付け性を高めるために、表面に厚さ０．５〜９μｍのＮｉ（ニッケル）層や厚さ０．５〜５μｍのＡｕ（金）層等の金属層がめっき法によって被着される。
【００５１】
次に、配線導体１３の他の実施形態について、図面を用いて詳細に説明する。なお、本実施形態にかかる各構成において、第１の実施形態と同様の機能を有する構成については、同じ参照符号を付し、その詳細な説明を省略する。また、図６，図７，図８，図９において、視覚的な理解を容易にするために配線導体１３および接地導体１４にハッチングを施した。
【００５２】
図６に示す実施形態における配線導体１３は、第２の部位１３ｂの形状が、図５に示す実施形態の配線導体１３における第２の部位１３ｂの形状と異なる。図５に示す第１の実施形態における配線導体１３は、第２の部位１３ｂにおける線幅Ｗ２が一定であり、平面視した場合の形状が略長方形の形状であった。一方、第２の実施形態における配線導体１３は、図６に示す平面図のように、第２の部位１３ｂの線幅Ｗ２が、第１の部位１３ａに向かって直線的に徐々に拡がっている。すなわち、平面視した場合の第２の部位１３ｂの形状が台形の形状とされている。
【００５３】
なお、本実施形態の配線導体１３のように、第２の部位１３ｂの線幅Ｗ２が一定でない場合には、第２の部位１３ｂの線幅の平均値をＷ２とすればよい。
【００５４】
上述の製造方法において説明のとおり、配線導体１３の表面にはＮｉやＡｕ等の金属がめっきされる。その際、図５に示すように第２の部位１３ｂが長方形状であると、長方形の角部に電荷が集中して、角から外側に向けてヒゲ状にめっきが成長してしまう場合がある。このヒゲ状に成長しためっき層は、接地導体１４との間の間隙を狭め、配線導体１３と接地導体１４との間で短絡を生じやすくする。配線導体１３を図６に示す形状にすることによって、第２の部位１３ｂの鋭角である角部が無くなるので、このめっき層がヒゲ状に異常成長する現象を生じにくくすることができる。
【００５５】
次に、第３の実施形態における配線導体１３の形状について、図７を参照しながら詳細に説明する。なお、本実施形態の各構成においても、第１の実施形態と同様の機能を有する部分については、同じ参照符号を付し、その詳細な説明を省略する。
【００５６】
本実施形態の配線導体１３は、第２の部位１３ｂの形状が、図７に示すように異なる。すなわち、第２の部位１３ｂにおける線幅Ｗ２が、第１の部位１３ａに向かって徐々に曲線的に拡がる形状を有している。例えば、第２の部位１３ｂの外周が円弧の一部を成す曲線形状とされている。
【００５７】
本実施形態の配線導体１３においても、第２の部位１３ｂに鋭角となる角部が形成されず、めっき層がヒゲ状に異常成長する現象を生じにくくすることができる。さらに、第２の実施形態における第２の部位１３ｂよりも第２の部位１３ｂの面積を広く取ることができる。
【００５８】
さらに、図８に示す第３の実施形態における配線導体１３は、第２の部位１３ｂが平面視において円形状である。したがって、上記図７に示す配線導体１３と同様にめっき層がヒゲ状に異常成長する現象を生じにくくすることができる。さらに、第２の部位１３ｂの外周長を短くしながら面積を広く取ることができ、インピーダンス整合部として第２の部位１３ｂの効果を最大限高めることができる。
【００５９】
図１０および図１１に、第２の部位１３ｂが円形状である場合の配線導体１３の高周波特性のシミュレーション結果を示す。図１０は、配線導体１３に５０ＧＨｚ以下の高周波信号を伝播させたときの反射損失を示すものである。実線で示すものが円形状の第２の部位１３ｂを設けたものである。また、破線で示すものは、第２の部位１３ｂを設けない従来のものである。
【００６０】
図１１は、配線導体１３に５０ＧＨｚ以下の高周波信号を伝播させたときの挿入損失を示す。破線で示すものは、第２の部位１３ｂを設けない、直線状の配線導体１３の挿入損失を示す。実線で示すものは円形状の第２の部位１３ｂを設けた場合の配線導体１３の挿入損失を示す。図１０，図１１から分かるように、円形状の第２の部位１３ｂを設けることによって、反射損失または挿入損失が減少することが分かる。
【００６１】
上記のような第２の部位１３ｂの線幅Ｗ２が一定でないいずれの場合においても、第２の部位１３ｂの線幅の平均値をＷ２とすればよい。
【００６２】
さらに、めっき層がヒゲ状に異常成長する現象を生じにくくする解決手段として、めっき層がヒゲ状に異常成長する部位を絶縁体層１５で覆ってもよい。例えば、図９に示す配線導体１３は、第２の絶縁部材１２によって覆われる境界部にセラミック層を形成することによって絶縁体層１５を実現している。このセラミック層は、第２の絶縁部材１２を第１の絶縁部材１１の上面に積層する前に、配線導体１３の境界部にセラミックスラリーを塗布しておくことによって形成される。
【００６３】
セラミック層の厚みは、例えば１０μｍ程度である。この程度の厚みであれば誘電率が変化することによる高周波特性に大きな影響を与えることはない。また、めっき層が異常成長するのを妨げるのに十分な厚みである。
【００６４】
絶縁体層１５は、第２の絶縁部材１２が覆う境界部の他、第２の部位１３ｂを設けることによって生じる配線導体１３の鋭角部も覆うように設けてもよく、めっき層が異常成長するのを妨げることができる。なお、絶縁体層１５を図５の実施形態に設ける例を示したが、図５の他、図６，図７，図８のいずれの実施形態に対しても適用可能であり、設けるのが好ましい。
【００６５】
次に、本実施形態のパッケージ１を用いた電子装置１０１は、基板５の載置領域に載置され、配線導体１３に接続された電子部品３、および枠体７の上面に接合された蓋体１０３を備えている。蓋体１０３は、電子部品３を封止するように設けられている。蓋体１０３は、枠体７の上面に接合されている。そして、基体、枠体７および蓋体１０３で囲まれた空間において電子部品３を封止している。このように電子部品３を封止することによって、長期間のパッケージ１の使用による電子部品３の劣化を抑制することができる。
【００６６】
蓋体１０３としては、例えば、鉄、銅、ニッケル、クロム、コバルトおよびタングステンのような金属部材、あるいはこれらの金属からなる合金またはこれらの金属が複合された複合部材を用いることができる。また、枠体７と蓋体１０３は、例えば、金−錫ロウ等を用いて接合してもよい。
【００６７】
また、枠体７と蓋体１０３とはシーム溶接等によって直接に接合されていてもよいが、例えば、平面視した場合に枠体７と重なり合うようなリング形状である金属部材、いわゆるシールリングを間に挟んで接合されていてもよい。
【００６８】
以上、各実施形態の素子収納用パッケージおよびこれを備えた電子装置について説明したが、本発明は上述の実施形態に限定されるものではない。すなわち、本発明の要旨を逸脱しない範囲内であれば種々の変更や実施形態の組合せを行なうことは何等差し支えない。
【符号の説明】
【００６９】
１：電子部品収納用パッケージ（パッケージ）
３：電子部品
５：基板
５ｂ：ネジ止め孔
７：枠体
９：入出力部材
１１：第１の絶縁部材
１２：第２の絶縁部材
１３：配線導体
１３ａ：第１の部位
１３ｂ：第２の部位
１３ｃ：第３の部位
１４：接地導体
１５：絶縁体層
２７：載置基板
２９：貫通導体
３１：リード端子
１０１：電子装置
１０３：蓋体
【図１】
0005926290.tif 000002
【図２】
0005926290.tif 000003
【図３】
0005926290.tif 000004
【図４】
0005926290.tif 000005
【図５】
0005926290.tif 000006
【図６】
0005926290.tif 000007
【図７】
0005926290.tif 000008
【図８】
0005926290.tif 000009
【図９】
0005926290.tif 000010
【図１０】
0005926290.tif 000011
【図１１】
0005926290.tif 000012